(57)【要約】【課題】液晶表示装置のバックライトとして低電力消費で発光むらなく高輝度照明することを可能としたフィールドエミッションランプを提供すること。【解決手段】平面状のフロントガラス１２の内表面に導体膜を設けると共に、該フロントガラス１２内表面から離間して、電界電子放出膜１８付きの直線状の陰極導体２０と、陰極導体２０をその両側から挟み込む直線状のゲート導体２２とを平行交互に配置し、フロントガラス１２の後方に陰極導体２０を間にしてフロントガラス１２と平行に対向した平面状もしくは溝状のリアガラス１４を配置するとともにリアガラス１４内表面上に蛍光体膜２４付きの陽極導体２６を設け、ランプ駆動時には陽極導体２６に高電位を印加すると共に導体膜１６と陰極導体２０とゲート導体２２とを接地する構成【選択図】図１
2008204641.tif 000002
【特許請求の範囲】
【請求項１】
平面状のフロントガラスの内表面に導体膜を設けると共に、該フロントガラス内表面から離間して、電界電子放出膜付きの直線状の陰極導体を配置し、
フロントガラスの後方に上記陰極導体を間にして該フロントガラスと対向した内表面が平面状もしくは溝状のリアガラスを配置するとともにこのリアガラス内表面上に蛍光体膜付きの陽極導体を設け、
ランプ駆動時には陽極導体に高電位を印加すると共に導体膜と陰極導体とを接地する構成とした、ことを特徴とするフィールドエミッションランプ。
【請求項２】
上記陰極導体をその両側から挟み込む直線状のゲート導体を配置し、ランプ駆動時にこのゲート導体の電位を制御可能とした、ことを特徴とする請求項１に記載のフィールドエミッションランプ。
【請求項３】
上記ランプ駆動時にゲート導体を接地電位に制御する構成とした、ことを特徴とする請求項２に記載のフィールドエミッションランプ。
【請求項４】
上記ゲート導体を上記陰極導体と平行に配置した、ことを特徴とする請求項２または３に記載のフィールドエミッションランプ。
【請求項５】
上記フロントガラスの内表面の導体膜が導電性酸化錫薄膜からなることを特徴とする請求項１に記載のフィールドエミッションランプ。
【請求項６】
上記フロントガラスを帯電防止性を有する導電ガラスで構成したことを特徴とする請求項１に記載のフィールドエミッションランプ。
【請求項７】
平面状のフロントガラスの内表面に網状導体膜を設けると共に、上記網状導体膜上に電界電子放出膜付きの直線状の陰極導体を配置し、
フロントガラスの後方に上記陰極導体を間にして該フロントガラスと平行に対向した内表面が平面状もしくは溝状のリアガラスを配置するとともにこのリアガラス内表面上に蛍光体膜付きの陽極導体を設け、
ランプ駆動時には陽極導体に高電位を印加すると共に網状導体膜と陰極導体とを接地する構成とした、ことを特徴とするフィールドエミッションランプ。
【請求項８】
フロントガラス内表面上に蛍光体膜付きの陽極導体を配置する一方、フロントガラス後方にリアガラスを配置し、
このリアガラスの外表面に導体膜を形成すると共にリアガラス内表面側に電界電子放出膜付きの直線状の陰極導体と、上記陰極導体をその両側から挟み込む直線状のゲート導体とを配置してなり、
ランプ駆動時には上記陰極導体とゲート導体とにマイナス電位を印加すると共に上記フロントガラス側の陽極導体とリアガラスの導体膜とに接地電位を印加する構成とした、ことを特徴とするフィールドエミッションランプ。
【発明の詳細な説明】
【技術分野】
【０００１】
本発明は、液晶表示装置を背部から照明するバックライトに用いて好適なフィールドエミッションランプに関するものである。
【背景技術】
【０００２】
液晶表示装置は、薄型、軽量、低消費電力であることから、テレビ、携帯端末、パソコン、電子手帳、カメラ一体型ＶＴＲ、等の広範囲の電子機器の表示装置として広く使用されている。液晶表示装置は、ブラウン管やプラズマディスプレイとは異なり、それ自体が発光するのではなく、外部から入射した光の量を制御して画像等を表示するのである。このような液晶表示装置においては、その背面に、該液晶表示装置を照明する液晶表示装置用バックライトが設置されている（特許文献１参照）。
【０００３】
上記電子機器においては低電力消費が重要視されてきている中で、液晶表示装置用バックライトは、上記電子機器の全電力消費量の約半分を占めていると言われており、このことから、液晶表示装置用バックライトの低電力消費を図ることは重要である。その一方で、例えば、液晶テレビ等の大型表示画面化が進むと、ますます、液晶表示装置用バックライトにおける低電力消費の要請が高くなる。
【０００４】
このような液晶表示装置用バックライトの技術背景に鑑み、本出願人は、液晶表示装置用バックライトの低電力消費化を図る一方で、同時に液晶表示装置を高輝度で照明することができる液晶表示装置用バックライトの研究を鋭意進めていた。
【０００５】
ところで、液晶表示装置用バックライトには、冷陰極管（ＣＣＦＬ）が採用されてきており、代表的な液晶表示装置用バックライトでは、その要求輝度が１０，０００ｃｄ／ｍ2であり、画面サイズに関わらず、この要求輝度を得るには、従来のような液晶表示装置の側面に発光管（冷陰極管）を配置し、反射板、導光板、拡散シート、プリズムシート等を用いて液晶表示装置を照明する、いわゆるエッジライト型のバックライトでは特にその要求輝度を得られにくくなり、液晶表示装置の背面部分直下に発光管を配置する、いわゆる直下型の配置形態が採用されつつある。
【０００６】
このような経緯に鑑み本出願人は、平面状のフロントガラスの内表面側後方に該内表面に平行に電界電子放出膜付きの陰極導体を複数本所定間隔で配置し、フロントガラスの後方に上記陰極導体を間にして該フロントガラスと平行に対向した平面状のリアガラスを配置するとともにこのリアガラス内表面上に蛍光体膜付きの陽極導体を設けたフィールドエミッションランプを開発してきた。このフィールドエミッションランプはフラットな形状を備えた反射タイプであり、液晶表示装置の背部にコンパクトに配置することができる直下型のバックライトとして使用することができる構造となっている。
【０００７】
このフィールドエミッションランプにおいては、構造としてフロントガラス側に陰極導体を配置し、リアガラス側に陽極導体を配置し、陰極導体からリアガラス側の陽極導体に向けて電界電子放出膜から電子放出させ、陽極導体上の蛍光体膜を励起発光させ、その発光をフロントガラス側に向けて反射させてフロント方向へ出射する形態となっている。
【０００８】
しかしながら、上記フィールドエミッションランプ構造では、陰極導体がフロントガラス側内表面寄りに配置されているので、フロントガラス内表面に電荷がチャージアップし易い構造であり、そのチャージアップにより平面方向から見た場合のフロントガラス外面全体における発光むらが起こり易い構造であった。
【０００９】
そこで本出願人は、上記構造が備える課題を解決すべく種々の試行を行った結果、以下に説明する本発明を完成することができるに至った。
【００１０】
また、本出願人は、反射タイプではないフラット型として、平面状のフロントガラス内表面上に蛍光体膜付きの陽極導体を配置する一方、フロントガラス後方に該フロントガラスと平行に対向した平面状のリアガラスを配置し、このリアガラス内表面寄りに電界電子放出膜付きの直線状の陰極導体を配置するフィールドエミッションランプを開発してきたが、このタイプのフィールドエミッションランプにおいても、上記と同様の課題（リアガラス内表面に電荷がチャージアップし易い）があることを見出し、このタイプのフィールドエミッションランプについても種々の試行を行った結果、以下に説明する本発明を完成することができるに至った。
【特許文献１】特開平０６−２４２４３９号公報
【発明の開示】
【発明が解決しようとする課題】
【００１１】
すなわち、本発明では、液晶表示装置のバックライトとして低電力消費で発光むらなく高輝度で照明することを可能としたフィールドエミッションランプを提供するものである。
【課題を解決するための手段】
【００１２】
本発明第１によるフィールドエミッションランプは、平面状のフロントガラスの内表面に導体膜を設けると共に、該フロントガラス内表面から離間して、電界電子放出膜付きの直線状の陰極導体を配置し、フロントガラスの後方に上記陰極導体を間にして該フロントガラスと対向した内表面が平面状もしくは溝状のリアガラスを配置するとともにこのリアガラス内表面上に蛍光体膜付きの陽極導体を設け、ランプ駆動時には陽極導体に高電位を印加すると共に導体膜と陰極導体とを接地する構成としたことを特徴とするものである。
【００１３】
本発明第１によると、フロントガラスの内表面に導体膜を設けたので陰極導体表面の電界電子放出膜から放出した電子がフロントガラス内表面にチャージアップすることを抑制することができるようになる。この場合、上記導体膜はランプ駆動時に陰極導体と共に接地する構成としたので、フロントガラス内表面が効果的にチャージアップされずに済む。
【００１４】
以上から本発明第１ではフロントガラスからは発光むらが抑制された発光を行うことができるので、液晶表示装置のバックライトとして用いた場合に、低電力消費で高輝度照明するフィールドエミッションランプの特徴を生かしつつ液晶表示装置の表示画面を発光むらなく高輝度で明るく照明することができるバックライトとして有効なフィールドエミッションランプを提供することができる。
【００１５】
好ましくは、上記陰極導体をその両側から挟み込む直線状のゲート導体を配置し、ランプ駆動時にこのゲート導体の電位を制御可能とすることである。
【００１６】
好ましくは、上記ランプ駆動時にゲート導体を接地する構成とすることである。
【００１７】
好ましくは上記ゲート導体を上記陰極導体と平行に配置することである。
【００１８】
好ましくは上記導体膜を導電性酸化錫薄膜から構成することである。この導電性酸化錫にはアンチモンを含有してもよいし、含有しなくてもよい。アンチモン含有酸化錫（ＡＴＯ）は塗膜にしたときの表面抵抗率が低く導電性に優れる、塗膜にしたときの透明性が高い。
【００１９】
好ましくは上記フロントガラスを帯電防止性がある導電ガラスで構成することである。
【００２０】
本発明第２によるフィールドエミッションランプは、平面状のフロントガラスの内表面に網状導体膜を設けると共に、上記網状導体膜上に電界電子放出膜付きの直線状の陰極導体を配置し、フロントガラスの後方に上記陰極導体を間にして該フロントガラスと平行に対向した内表面が平面状もしくは溝状のリアガラスを配置するとともにこのリアガラス内表面上に蛍光体膜付きの陽極導体を設け、ランプ駆動時には陽極導体に高電位を印加すると共に網状導体膜と陰極導体とを接地する構成としたことを特徴とするものである。
【００２１】
本発明第２によると、フロントガラスの内表面に網状導体膜を設けこの網状導体膜上に陰極導体を配置したので、この網状導体膜によりフロントガラス内表面がチャージアップすることを抑制することができるようになる。この場合、網状導体膜はランプ駆動時に陰極導体と共に接地する構成としたので、上記チャージアップをより効果的に防止抑制することができる。
【００２２】
以上の結果、本発明第２では上記チャージアップ抑制によりフロントガラスからは発光むらが抑制された発光を行うことができるので、液晶表示装置のバックライトとして用いた場合に、低電力消費で高輝度照明するフィールドエミッションランプの特徴を生かしつつ液晶表示装置の表示画面を発光むらなく高輝度で明るく照明することができるバックライトとして有効なフィールドエミッションランプを提供することができる。
【００２３】
本発明第３によるフィールドエミッションランプは、フロントガラス内表面上に蛍光体膜付きの陽極導体を配置する一方、フロントガラス後方にリアガラスを配置し、このリアガラスの外表面に導体膜を形成すると共にリアガラス内表面側に電界電子放出膜付きの直線状の陰極導体と、上記陰極導体をその両側から挟み込む直線状のゲート導体とを配置してなり、ランプ駆動時には上記陰極導体とゲート導体とにマイナス電位を印加すると共に上記フロントガラス側の陽極導体とリアガラスの導体膜とに接地電位を印加する構成としたことを特徴とするものである。
【００２４】
本発明第３によると、リアガラスの外表面に導体膜を設け、ランプ駆動時には陰極導体とゲート導体とに直流電源のマイナス側を印加すると共にフロントガラス側の陽極導体とリアガラスの導体膜とを接地する構成としたので、リアガラス内表面に配置した陰極導体の電位はリアガラス外表面の導体膜で固定化され、また、フロントガラス内表面がチャージアップすることを抑制することができるようになる。この場合、フロントガラス側の陽極導体とリアガラスの導体膜とを接地することによりフィールドエミッションランプ全体として接触からの安全性を保つことができる。
【００２５】
以上の結果、本発明第３では上記チャージアップ抑制によりフロントガラスからは発光むらが抑制された発光を行うことができるので、液晶表示装置のバックライトとして用いた場合に、低電力消費で高輝度照明するフィールドエミッションランプの特徴を生かしつつ液晶表示装置の表示画面を発光むらなく高輝度で明るく照明することができるバックライトとして有効なフィールドエミッションランプを提供することができる。
【発明の効果】
【００２６】
本発明によれば、液晶表示装置のバックライトとして低電力消費で発光むらなく高輝度照明することができる。
【発明を実施するための最良の形態】
【００２７】
以下、添付した図面を参照して、本発明の実施の形態に係るフィールドエミッションランプを説明すると、図１は、実施の形態のフィールドエミッションランプの正面構成を示し、図２は、図１のＡ−Ａ線に沿う断面構成を示し、図３は同フィールドエミッションランプの平面構成を示す。ただし、図１はランプ駆動の説明のため電気配線ならびに直流電源等を模式的に示す。
【００２８】
これらの図を参照してこのフィールドエミッションランプ１０は、平面状のフロントガラス１２と、平面状のリアガラス１４とを備える。フロントガラス１２と、リアガラス１４は一定の間隔を隔てて平行に対向配置されている。フロントガラスとリアガラスとの間の間隙は図示略のスペーサ等で保持することができる。フロントガラス１２とリアガラス１４との対向空間は真空封止されている。この真空封止構造は図示を略している。
【００２９】
フロントガラス１２の内表面に導体膜１６を設ける。この導体膜１６は好ましくはアンチモンドープ酸化錫系導電性粉末（ＡＴＯ）で構成されている。
【００３０】
フロントガラス１２の内表面上の導体膜１６からは所定のギャップでもって離間して、電界電子放出膜１８付きの直線状の陰極導体２０と、陰極導体２０をその両側から挟み込む直線状のゲート導体２２とを平行交互に配置する。リアガラス１４の内表面上に蛍光体膜２４付きの陽極導体２６を設ける。電界電子放出膜１８は陰極導体２０表面に形成された炭素膜からなる。この炭素膜はカーボンナノチューブ、カーボンナノウォール、カーボンナノファイバー、ダイヤモンドライクカーボン、アモルファスダイヤモンド、結晶性ダイヤモンド、グラファィト、フラーレン、針状炭素膜等、微細なｎｍオーダーの突起を有するものであり、陽極導体２６との間の高電界の印加により電界放射することができる。
【００３１】
以上の構成において、ランプ駆動時には陽極導体２６に直流電源２８により高電位を印加すると共に直流電源２８のマイナス側と導体膜１６と陰極導体２０とゲート導体２２とを接地するようになっている。
【００３２】
実施の形態のフィールドエミッションランプ１０では、フロントガラス１２の内表面はランプ駆動時に接地される導体膜１６によりチャージアップすることを抑制される結果、チャージアップに起因した発光むらが抑制されて液晶表示装置のバックライトとして用いた場合、液晶表示装置の表示画面を発光むらなく照明するバックライトとして有効に用いることができるようになる。
【００３３】
また、陰極導体２０をその両側からゲート導体２２で挟み込む形態としたので、上記ランプ駆動に際しての電圧印加の形態で陰極導体２０表面の電界電子放出膜１８から放出する電子の広がりをゲート導体２２で制御することが可能となり、陽極導体２６上の蛍光体膜２４からの発光をフロントガラス１２方向に領域制限して出射させることが可能となる。そのため、液晶表示装置の表示画面を複数の画素領域に区分してバックライトする場合、隣接するフィールドエミッションランプとの発光領域を区分する場合に有用である。
【００３４】
図４は、他の実施の形態のフィールドエミッションランプの側面構成を示し、図５は、同フィールドエミッションランプの平面構成を示す。ただし、図４はランプ駆動の説明のため電気配線ならびに直流電源等を模式的に示す。図４および図５において図１ないし図３と対応する部分には同一の符号を付している。
【００３５】
これらの図を参照してこのフィールドエミッションランプ１０Ａは、平面状のフロントガラス１２と、平面状のリアガラス１４とを備える。フロントガラス１２と、リアガラス１４は一定の間隔を隔てて平行に対向配置されている。フロントガラス１２とリアガラス１４との対向空間は真空封止されている。この真空封止構造は図示を略している。
【００３６】
フロントガラス１２の内表面に網状導体膜３０を設ける。この網状導体膜３０上に、電界電子放出膜１８付きの直線状の陰極導体２０を設ける。
【００３７】
リアガラス１４の内表面上に蛍光体膜２４付きの陽極導体２６を設ける。
【００３８】
以上の構成において、ランプ駆動時には陽極導体２６に直流電源２８により高電位を印加すると共に直流電源２８のマイナス側と網状導体膜３０と陰極導体２０とを接地するようになっている。網状導体膜３０の網目の大きさは特に限定しない。
【００３９】
実施の形態のフィールドエミッションランプ１０Ａでは、フロントガラス１２の内表面に網状導体膜３０を設けこの網状導体膜３０上に陰極導体２０を配置したので、この網状導体膜３０によりフロントガラス１２内表面がチャージアップすることを抑制することができるようになる。この場合、網状導体膜３０はランプ駆動時に陰極導体２０と共に接地する構成としたので、チャージアップをより効果的に防止抑制することができる。
【００４０】
以上の結果、この実施の形態ではチャージアップ抑制によりフロントガラス１２からの発光むらが抑制された発光を行うことができるので、液晶表示装置のバックライトとして用いた場合に、低電力消費で高輝度照明するフィールドエミッションランプの特徴を生かしつつ液晶表示装置の表示画面を発光むらなく高輝度で明るく照明することができるバックライトとして有効なフィールドエミッションランプを提供することができる。
【００４１】
図６は、さらに他の実施の形態のフィールドエミッションランプの正面構成を示す。ただし、図６はランプ駆動の説明のため電気配線ならびに直流電源等を模式的に示す。図６において図１ないし図３と対応する部分には同一の符号を付している。
【００４２】
これらの図を参照してこのフィールドエミッションランプ１０Ｂは、平面状のフロントガラス１２と、平面状のリアガラス１４とを備える。フロントガラス１２と、リアガラス１４は一定の間隔を隔てて平行に対向配置されている。フロントガラス１２とリアガラス１４との対向空間は真空封止されている。この真空封止構造は図示を略している。
【００４３】
リアガラス１４の外表面に導体膜３２を形成すると共にリアガラス１４内表面側に電界電子放出膜１８付きの直線状の陰極導体２０と、直線状のゲート導体２２とを交互に配置している。ゲート導体２２は陰極導体２０をその両側から挟み込む形態に配置している。
【００４４】
そしてランプ駆動時には陰極導体２０とゲート導体２２とに直流電源２８のマイナス側を印加すると共に直流電源２８のプラス側とフロントガラス１２側の陽極導体２６とリアガラス１４の導体膜３２とを接地する構成としている。
【００４５】
この実施の形態では、リアガラス１４の外表面に導体膜３２を設け、ランプ駆動時には陰極導体２０とゲート導体２２とに直流電源２８によりマイナス電位を印加すると共にフロントガラス１２側の陽極導体２６とリアガラス１４の導体膜３２とを接地する構成としたので、リアガラス１４内表面に配置した陰極導体２０の電位はリアガラス１４外表面の導体膜３２で固定化され、また、フロントガラス１２内表面がチャージアップすることを抑制することができるようになる。この場合、フロントガラス１２側の陽極導体２６とリアガラス１４の導体膜３２とを接地することによりフィールドエミッションランプ全体として接触からの安全性を保つことができる。
【００４６】
以上の結果、この実施の形態ではチャージアップ抑制によりフロントガラス１２からの発光むらが抑制された発光を行うことができるので、液晶表示装置のバックライトとして用いた場合に、低電力消費で高輝度照明するフィールドエミッションランプの特徴を生かしつつ液晶表示装置の表示画面を発光むらなく高輝度で明るく照明することができるバックライトとして有効なフィールドエミッションランプを提供することができる。
【００４７】
なお、リアガラス１４を図７で示すような内表面形状を溝状として蛍光体膜２４から出た光をフロントガラス１２から直接出射するとともに、陽極導体２６で反射させてフロントガラス１２から出射する構成としてもよい。
【図面の簡単な説明】
【００４８】
【図１】図１は、本発明の実施の形態のフィールドエミッションランプの正面構成を示す図である。
【図２】図２は、図１のＡ−Ａ線に沿う断面構成を示す図である。
【図３】図３は同フィールドエミッションランプの平面構成を示す図である。
【図４】図４は、他の実施の形態のフィールドエミッションランプの側面構成を示す図である。
【図５】図５は、同フィールドエミッションランプの平面構成を示す図である。
【図６】図６は、さらに他の実施の形態のフィールドエミッションランプの正面構成を示す図である。
【図７】図７は、さらに他の実施の形態のフィールドエミッションランプの正面の要部構成を示す図である。
【符号の説明】
【００４９】
１０，１０Ａ，１０Ｂ  フィールドエミッションランプ
１２  フロントガラス
１４  リアガラス
１６  導体膜
１８  電界電子放出膜
２０  陰極導体
２２  ゲート導体
２４  蛍光体膜
２６  陽極導体
【図１】
2008204641.tif 000003
【図２】
2008204641.tif 000004
【図３】
2008204641.tif 000005
【図４】
2008204641.tif 000006
【図５】
2008204641.tif 000007
【図６】
2008204641.tif 000008
【図７】
2008204641.tif 000009